(57)【特許請求の範囲】
【請求項１】
平行に延びる複数枚の短冊状剛性板材の相互をヒンジ連結してなる敷板の一端を、短冊状剛性板材と平行な水平軸線の周りに回転されるドラムに連結するとともに、そのドラムの回転および進退駆動手段を設け、この回転および進退駆動手段を、敷板上で転動する駆動ローラと、この駆動ローラおよび、ドラムに巻回した敷板の周面のそれぞれに摩擦接触する少なくとも一個の伝達ローラとで構成してなる養生パネル装置。
【請求項２】
前記敷板の一端側を、ドラムに対して着脱自在としてなる請求項１記載の養生パネル装置。
【請求項３】
前記敷板の他端を固定部材に連結してなる請求項１もしくは２記載の養生パネル装置。
【請求項４】
請求項１〜３のいずれか一項に記載の養生パネル装置の、前記ドラムならびに、回転および進退駆動手段を、入子式に構成されて、引出し姿勢で、敷板上で観覧席をステップ状に展開する移動観覧席の、最先に引出される段部のフレームに取付けるとともに、その回転および進退駆動手段の、前記駆動ローラを、移動観覧席の、最先に引出される段部の進退駆動輪に兼用してなる養生パネル装置と移動観覧席との組合せ構造体。
【発明の詳細な説明】
【０００１】
【発明の属する技術分野】
この発明は、地面、床面等を集中荷重の作用から有効に保護する養生パネル装置および、それと移動観覧席との組合せ構造体に関するものである。
【０００２】
【従来の技術】
たとえば、カーペット、人工芝その他の敷設面、貼付面等であって、そこに、集中荷重の作用に起因する疵、痕跡等が発生するのを防止する必要がある場合、従来は、集中荷重が作用するおそれのある部分の全体に、作業者の手作業をもってプラスチック板、金属板、木板等を並べて敷き込むことによってそのカーペット等を保護し、この一方で、集中荷重の作用のおそれがなくなったときには、これも作業者の手作業によってプラスチック板等を撤去することが一般的であった。
【０００３】
【発明が解決しようとする課題】
従って、かかる従来技術にあっては、板材の敷き込みおよび撤去のいずれにも、多くの時間と作業工数が必要になるみならず、板材の敷き込み精度が低くなるおそれが高く、その精度の低下または、単純に並べて敷き込んだだけの板材への集中荷重の作用の仕方等によって、板材相互に重なりが生じた場合には、その重なり部分への集中荷重の通過が困難になり、たとえその通過が可能であっても、板材が破損したり、下側板材のエッジによってカーペット等が損傷を受けたりすることがあり、また、板材相互間に隙間が生じた場合には、集中荷重の、その隙間からの脱落等によって、カーペットその他が損傷されることになる不都合があった。
【０００４】
この発明は、従来技術が抱えるこのような問題点を解決することを課題として検討した結果なされたものであり、それの目的とするところは、作業者の手作業による、多数枚の単位板材の敷き込みおよび撤去を不要ならしめて、少ない作業工数の下で、カーペット等を簡易に、かつ迅速にカバーするとともに、取り除くことができ、しかも、作業精度の低下のおそれがなく、また、集中荷重の作用の仕方等に起因する、板材相互の不測の重なり合い、離隔等を生じることもない、養生パネル装置および、それと移動観覧席との組合せ構造体を提供するにある。
【０００５】
【課題を解決するための手段】
この発明の養生パネル装置は、平行に延びる複数枚の短冊状剛性板材の相互を側部でヒンジ連結してなる敷板の一端を、短冊状剛性板材と平行な水平軸線の周りに回転されるドラムに連結するとともに、前記ドラムの回転および進退駆動手段を設け、この回転および進退駆動手段を、敷板上で転動する駆動ローラと、この駆動ローラおよび、ドラムに巻回した敷板の周面、ときにはドラム自身の周面のそれぞれに摩擦接触する少なくとも一個の伝達ローラとで構成したものである。
【０００６】
この装置では、回転および進退駆動手段の作用下でドラムを回転させてそのドラムに巻回した敷板を巻きほぐすとともに、ドラムの回転中心を、巻きほぐし速度に応じた速度で進出変位させることで、敷板を、例えば床面上に、簡易迅速に、かつ、常に正確に敷設することができる。
【０００７】
そして敷板のこのような敷設状態の下では、敷板上への集中荷重の通過、そこへの集中荷重の設置等に対し、長さおよび幅を適宜に選択した各個の剛性板材が、そこに作用する集中荷重を、それの全体に分散させて床面等に伝達するので、その床面等への疵、痕跡その他の損傷の発生が充分に防止されることになる。しかも、ここにおける敷板の敷設は、剛性板材の相互のヒンジ連結下にて常に適正に行われるので、各剛性板材への荷重の作用の仕方のいかんにかかわらず、剛性板材の相互の重なり合いおよび離隔の発生を確実に阻止して、剛性板材の破損、剛性板材のエッジによる床面の損傷、集中荷重の不測の脱落等のおそれを除去することができる。
【０００８】
この一方で、敷板を敷設しておくことの必要性がなくなった場合には、ドラムを回転させてその周上に敷板を巻取るとともに、ドラム自身を、その巻取り速度に応じた速度で後退変位させることで、敷板を簡易迅速に取り除くことができる。
ところで、敷板のこのような巻取りに当たっては、巻回数の増加につれて巻径が増大することになるので、かかる巻径の増大にうまく対応するためには、短冊状剛性板材の幅を、巻回数の増加に伴って次第に広くすることが好ましい。
【０００９】
しかもこの装置では、たとえばモータによって回転される駆動ローラが、敷板の敷設および巻取りのいずれの場合にも敷板上を転動して、ドラムの回転運動および進退運動のそれぞれを司ることから、駆動ローラ、走行輪等と床面等との直接接触を回避して、それらによる床面等の損傷のおそれを完全に除去するとともに、小径の駆動ローラ等が毛足の長いカーペットその他の上を転動する場合のような転動抵抗の著しい増大を有効に防止することができる。
【００１０】
またここでは、駆動ローラおよび、敷板を巻回したドラムのそれぞれの周面に摩擦接触する伝達ローラをもって、ドラムの回転周速を駆動ローラのそれと等しくすることにより、敷板の敷設および巻取りのそれぞれを充分円滑ならしめることができる。
しかも、ここにおける駆動ローラは、それの転動運動によってドラムを進退変位させることもできるので、モータその他の一の駆動手段により、ドラムの回転と進退変位との両者を実現することができる。
【００１１】
なお、この場合においてより好ましくは、ドラムを、伝達ローラの方向へ積極的に付勢し、これによって、その伝達ローラと、ドラム側および駆動ローラ側とのそれぞれの摩擦力を充分に高めることで、ドラム上への敷板の巻回量の多少にかかわらず、それらの接触面間へのスリップの発生を防止して、各部材の回転周速を充分均等ならしめる。
【００１２】
このような養生パネル装置において、好ましくは、敷板の一端側を、ドラムに対して直接的もしくは間接的に着脱自在とし、また好ましくは、敷板の他端を固定部材に連結する。
前者によれば、敷板の敷設後に、ドラムをその敷板から分離して、邪魔にならず、見映えを損ねない場所に片付けることができ、また後者によれば、敷板端部の不測の移動を拘束して、その敷板の敷設および巻取りのそれぞれを、より確実にかつ適正に行なうことができる。
【００１３】
このような養生パネル装置と移動観覧席との組合せは、先に述べたいずれかの態様の養生パネル装置に、入子式に構成されて、引出し姿勢下で、敷板上で観覧席をステップ状に展開する移動観覧席を適用することにより行うことができ、これによれば、所要の地面上、床面上等に養生パネル装置の敷板を敷設した状態の下で、その敷板上に、入子式の移動観覧席を、それに設けた転動輪の作用下で引出してステップ状に展開することで、集中荷重の作用を嫌う床面等を観覧席の設置面として利用することが可能となり、この場合、敷板、ひいては、養生パネル装置は、移動観覧席の転動輪を介してそこに作用する観覧席および観客の両重量を充分に広い範囲に分散させて床面等に伝達するので、その床面等を損傷から有効に保護することができる。
なおここで、入子式の移動観覧席は、それの引出し姿勢において、各段部上に椅子を起立させるものとすることも可能である。
【００１４】
この一方で、観覧席が不要となった場合には、移動観覧席を敷板上から後退変位させて完全な入込み姿勢とすることにより、それを所定の床面等から退避させてその床面等を開放するとともに、移動観覧席それ自体をコンパクトに収納することができる。
またここでは、移動観覧席のかかる入込み収納と併せて、養生パネル装置の敷板を先に述べたようにしてドラム上に巻取ることで床面等を完全に開放することができる。
従って、この組合せ構造によれば、移動観覧席の展開および収納を簡易迅速に行なうことができる他、その観覧席および観客の重量に対して地面、床面等を常に効果的に保護することができる。
【００１５】
ここで、この発明に係る、養生パネル装置と移動観覧席との組合せ構造体は、前述したいずれかの、養生パネル装置の、ドラムならびに、回転および進退駆動手段を、入子式に構成されて、引出し姿勢で、敷板上で観覧席をステップ状に展開する移動観覧席の、最先に引出される段部のフレームに取付けるとともに、その回転および進退駆動手段の、前記駆動ローラを、移動観覧席の、最先に引出される段部の進退駆動輪に兼用したものである。
【００１６】
このことによれば、養生パネル装置の敷板の敷設および巻取りに同期させて、移動観覧席を展開し、収納することができるので、作業効率を一層高めることができる他、これらを別途設置する場合に比して占有空間を有効に低減させることができる。
しかもここでは、移動観覧席の展開および収納のためだけに機能する特別の駆動手段を不要ならしめることができるととも、その展開および収納を、特別の同期構造なしに、敷板の敷設および巻取りに正確に同期させることができる。
【００１７】
【発明の実施の形態】
以下にこの発明の実施の形態について説明する。
図１は、この発明の養生パネル装置の一の実施形態を、敷板の敷設姿勢で示す斜視図である。
ここでは、装置フレーム１に、ドラム２を水平軸線の周りに回転自在に支持するとともに、そのドラム２に対して、敷板３の一端側を、好ましくは、直接的もしくは間接的に着脱自在に連結し、また好ましくは、その他端を固定部材に、例えばピン４によって連結する。
ここで、ドラム２は、その胴部を全周にわたって閉止した一般的なドラム構造とすることができる他、胴部を、それの軸線方向に延びる複数本のロッド状部材を周方向に間隔をおいて固定してなるいわゆるかご型ドラム構造とすることもできる。
【００１８】
また、ここにおける敷板３は、ドラム２の回転中心線である前記水平軸線と平行に延びる、所要の長さの複数枚の剛性板材３ａの相互を、それらの側部でヒンジ連結することにより構成してなり、かかる敷板３の一端の、ドラム２への連結は、たとえば、端部に位置する剛性板材３ａをドラム周面に固定もしくは固着することにより行なうことができる他、ドラム周面に、ドラム軸線方向に延在させて形成したスリットに対して、前記端部剛性板材３ａを抜き差し自在に差し込むことによっても行うことができ、後者によれば、敷板３を、ドラム２に対して直接的に着脱することができる。
【００１９】
ところで図に示すところでは、一端をドラム２に固定もしくは固着した敷板３の敷設姿勢において、ドラム２の下縁より他端側に位置する一の剛性板材３ａ１に、ドラム側の剛性板材３ａ２を、仮止めピン３ｂをもって、着脱自在に重ね合わせ連結することによって、敷板３をドラム２に対して間接的に着脱可能ならしめており、これによれば、とくには、ドラム２への敷板３の再連結に当り、その敷板３を、ドラム２ならびに、後述する回転および進退駆動手段の下方に通す煩わしさを取り除くことができる。
【００２０】
図２は、この連結構造を例示する拡大分解斜視図であり、これは、敷板３の他端側に位置する剛性板材３ａ１の先端側部分をその上面側からステップ状に薄肉化するとともに、ドラム側に位置する剛性板材３ａ２の後端側部分を下面側からステップ状に薄肉化して、それらの両剛性板材３ａ１，３ａ２の薄肉部の重ね合わせ状態での厚みを、他の一枚の剛性板材３ａの厚みと、また、同状態での幅ｗを、他の一枚の剛性板材３ａの幅とそれぞれ実質的に等しくしたところにおいて、両剛性板材３ａ１，３ａ２の相互を、仮止めピン３ｂとナット３ｂ１との協働下で、所要に応じて連結および解離可能ならしめたものである。
【００２１】
このような連結構造において、仮止めピン３ｂの頭部を、一方の剛性板材３ａ２に設けた座ぐり部内へ、また、ナット３ｂ１を、他方の剛性板材３ａ１に設けた座ぐり部内へそれぞれ充分に入り込ませる場合には、両剛性板材３ａ１，３ａ２の連結状態でのそれらの上下面への仮止めピン３ｂおよびナット３ｂ１の突出を防止することができる。
【００２２】
ところで、以上のような連結構造の下で、ドラム側から分離させた敷板３の、不側の変位、移動等を確実に阻止するためには、床面等に予め埋設したアンカー３ｂ２に対し、剛性板材３ａ１を、ねじ３ｂ３によって締込み固定することが好ましい。
【００２３】
なおここで、上記連結構造に代えて、幅方向の中間で二分割した一の剛性板材３ａの分割部分の相互を、リンク部材等を介して着脱自在に突き合わせ連結することも可能である。
【００２４】
ドラム２にこのようにして連結される敷板３における、短冊状剛性板材３ａのヒンジ連結は、例えば、図３に示すように、鋼板からなる各剛性板材３ａの両端に、図では上方に向くフランジ３ｃを折り曲げ形成したところにおいて、各フランジ３ｃの長さ方向の各端部を、隣接板材３ａのフランジ３ｃにヒンジ連結することによって行うことができる他、図４に示すように、アルミニウムもしくはそれの合金からなる押出材料、プラスチック成形材料等からなる短冊状剛性板材３ａのそれぞれの側部に設けた曲面状の凹条３ｄおよび凸条３ｅの相互を、隣接板材３ａの凸条３ｅおよび凹条３ｄのそれぞれに嵌合させることにより行うこともできる。ここで、曲面状凹条３ｄおよび凸条３ｅのそれぞれは、剛性板材３ａの全長にわたって形成することの他、長さ方向に所定の間隔をおいて形成することも可能である。
【００２５】
またここで、剛性板材３ａの全体を、アルミニウム、プラスチック等で構成することに代えて、図４（ｃ）に示すように、剛性板材３ａのそれぞれの側部だけを、先に述べたと同様の嵌め合い構造を有する凹条部材３ｆおよび凸条部材３ｇで構成し、他の部分を木板等にて構成することも可能である。
そしてまた、図５に示すように、所要の材料よりなる剛性板材３ａの相互を、合成繊維織布その他からなる強靭な可撓性ベルト３ｈによって相互連結することで、短冊状剛性板材相互のヒンジ連結態様を実現することもできる。
【００２６】
さらに、ドラム２を回転自在に支持する図１の装置フレーム１は、ドラム２の各軸受け５に貫通して、その軸受け５、ひいては、ドラム２の、図の上下方向への変位を許容する二本一対のガイドロッド６を具えるとともに、後述する、ドラム２の回転および進退駆動手段との関連において、軸受け５およびドラム２を下方側へ付勢すべく、ガイドロッド６の周りに配設した引張りばね７を具える。
またこの装置フレーム１は、好ましくは、その姿勢を所要に応じて、たとえば図６に示すように変化させて、養生パネル装置の全体を、または、所定位置に敷設した敷板３を残して、外力の作用下にて所要位置まで移動させるための外設転動輪８および把持ロッド９を具える。
【００２７】
ここで、装置フレーム１の、図１に示す姿勢から図６に示す姿勢への姿勢変更は、たとえば、図１に示す状態で、装置フレーム１の各方形枠体１ａの前方側へ突設した上下二段の転動輪８のうち下段のもを支点として、把持ロッド９を、図の矢印方向へほぼ９０度回動させることによって行うことができる。
【００２８】
ところで、装置フレーム１のこのような姿勢変更を行なった場合には、好ましくは、その姿勢変更が、所定位置に敷設した敷板３を残して行われたと否とにかかわらず、ドラム上の敷板３の後端部分の、床面等への引摺りを阻止すべく、最後端に位置する剛性板材３ａを、たとえば図６に示すように、装置フレーム１の横棧部材１ｂに、仮止めピン１０ａおよび掛合舌片１０ｂをもって掛け止めする。
なお、敷板後端部分の引摺りの防止は、最後端に位置する剛性板材３ａを、仮止めピン１０ａをもって横棧部材１ｂに直接的にねじ止め等することによっても行うことができる。
【００２９】
図７は、装置フレーム１の、方形枠体間に配設されて、それに支持したドラム２の回転運動および進退運動をもたらす駆動手段を示す略線側面図であり、この駆動手段は、図示しないモータ等に連結されて、敷板上で転動する駆動ローラ１１を、ドラム２の下方位置で、装置フレーム１に軸受けして配設するとともに、この駆動ローラ１１の周面に摩擦接触する少なくとも一個、図では二個の伝達ローラ１２をもまた装置フレーム１に軸受けして配設し、そしてドラム２を、先に述べた引張りばね７の作用下で、それらの両伝達ローラ１２の周面に、所要の摩擦力を発生するに足る力で付勢することによって構成してなる。
【００３０】
かかる構成によれば、駆動ローラ１１と伝達ローラ１２とは、予め定めた軸間距離で装置フレーム１に軸受け支持されていることから、それらの両ローラ１１，１２の周面間には所期した通りの摩擦力が確実に発生することになり、また、ガイドロッド６の案内下で変位可能なドラム２は、図７（ａ）に示すような、そこへの敷板３の巻回状態にてはもちろん、図７（ｂ）に示すような、敷板３の完全な繰出し状態にあってもなお、引張りばね７のぱね力の作用下で、伝達ローラ１２に充分大きな力で付勢されて、伝達ローラ１２との間に所期したとおりの摩擦力をもたらすことになるので、駆動ローラ１１を所要の方向へ回転駆動させた場合には、それらのそれぞれの摩擦力に基づき、伝達ローラ１２を逆方向へ、そしてドラム２を駆動ローラ１１と同方向へともに等しい周速で効率よく回転させることができる。
【００３１】
従って、図１に示すように敷設された敷板３をドラム上に巻取る場合には、たとえば仮止めピン３ｂによって敷板３をドラム２に連結した状態で、駆動ローラ１１を図７（ａ）に矢印で示すように右方向に回転駆動させ、これにより、装置重量を支持するその駆動ローラ１１を、それと敷板３との摩擦力の作用下で、後退方向へ所定の周速で変位させるとともに、ドラム２を、伝達ローラ１２を介して、駆動ローラ１１と同方向へ、それと等しい周速で回転させる。この結果、ドラム２および装置フレーム１の後退方向への変位と、そのドラム上への敷板３の巻取りとが同時に、しかも簡易、迅速に進行することになり、そのドラム２が、図８に示すように、敷板３の他端、図に示すところではその後端に達することで、敷板３の巻取りを終了する。
【００３２】
なお、敷板３のこのような巻取りは、その敷板３に常に一定の張力が作用する場合にとくに円滑に行うことができ、このことは敷板３の敷設に当たっても同様であるので、好ましくは図７に示すように、敷板３の内面に常時当接してその敷板３に一定の張力を付与するテンションローラ１３を、装置の適宜位置、たとえば一方の伝達ローラ１２に関連させて配設する。ここで、図７に示すところでは、折曲部を枢支した「く」字状腕部の両端にテンションローラ１３を配設しているが、ここにおけるテンションローラ１３を敷板３の張力が増す方向にばね付勢することも可能であり、また、一端を枢支したロッド状腕部の他端にテンションローラを装着し、そしてその腕部それ自体を、敷板張力が増加する方向に付勢することも可能である。
【００３３】
ところで、敷板３の巻取りを終了した装置は、その敷板３を、同一の場所で繰返して敷設および巻取りする場合には、例えば、敷板３の後端部を固定部材に連結するピン４をそのままに、巻取り終了姿勢を維持したままそこに保管することができ、この一方で、装置を他の場所へ移動させて保管等する場合には前記ピン４を取り外して敷板３を固定部材から解放するとともに、最後端の剛性板材３ａを、例えば図６について述べたように、仮止めピン１０ａおよび掛合舌片１０ｂをもって、装置フレーム１の横棧部材１ｂに掛け止めし、その後、装置フレーム１の全体を図６に示す回動姿勢として、転動輪８の作用下で所要の位置まで搬送する。
【００３４】
この一方で、装置のドラム上に巻取った敷板３を敷設する場合には装置フレーム１、ひいては装置全体を、図８に示す姿勢とし、好ましくは、装置フレーム１の横棧部材１ｂに対する掛合を解いた敷板３の後端を、ピン４によって固定部材に連結した後、駆動ローラ１１を敷板上で、図７（ｂ）に矢印で示すように左方向に回転させ、それによって、装置フレーム１およびドラム２の進出方向変位と、そのドラム２の、駆動ローラ１１と同一の方向への同一周速での回動とをもたらして、敷板３の、簡易、迅速にして常に正確な敷設を行う。図１は、敷板３の、このような敷設の完了状態を示す図であり、ここに示すような敷板３の敷設姿勢において、装置フレーム１およびドラム２が邪魔になる場合には、先にも述べたように、仮止めピン３ｂを外して敷設済みの敷板３をドラム２から分離するとともに、装置フレーム１を、図６に示すような変更姿勢の下で、転動輪８の作用によって、邪魔にならず、また見映えを損ねることのない場所へ移動させる。
なおこの場合においてもまた、好ましくは、ドラム側に残留する敷板部分の最後端の剛性板材３ａを、図６に示すように、横棧部分１ｂに掛け止め支持する。
かくして、この養生パネル装置によれば、敷板３の敷設および巻取りのそれぞれを、ともに簡易・迅速に、かつ常に正確に行うことができる。
【００３５】
図９および１０は、以上のような養生パネル装置と、入子式移動観覧席との組合せ構造体の実施形態を、移動観覧席の引出し姿勢で示す側面図および略線平面図である。
ここで、養生パネル装置と移動観覧席とは、相互に分離させて別個独立に構成し得ることはもちろんであるが、より好ましくは、養生パネル装置のドラムならびに、回転および進退駆動手段のそれぞれを、前述した装置フレーム１に代えて、移動観覧席の、最先に引出される段部のフレームに取付け、さらに好ましくは、これに加えて、前記回転および進退駆動手段の駆動ローラを、移動観覧席の、最先に引出される段部の進退駆動輪に兼用する。
【００３６】
図はこの最適の形態を示すものであり、これは、一対の養生パネル装置のそれぞれの敷板上に、入子式構造とした移動観覧席２１のそれぞれの側部の転動輪２２を転動可能ならしめたものである。ここで、転動輪２２は、たとえば、図１１に、図１０のＡ部分を拡大斜視図で示すところから明らかなように、入子式構造の各段部のフレーム２３の、支柱２３ａの下部に、そこから前方側へ突出する水平ビーム２３ｂを設けたところにおいて、支柱２３ａの下方部分には三個が、そして、水平ビーム２３ｂの先端部分には、図１１に示すところから明らかなように一個がそれぞれ配設される。
【００３７】
ここにおいて、移動観覧席２１の、最先に引出される段部のフレーム２３への、回転および進退駆動手段の取付けは、水平ビーム２３ｂの先端に突設したブラケット２４に、二個一対の共軸駆動ローラ１１を軸受け支持するとともに、その駆動ローラ１１を、モータ２５（図１０参照）に連結して所要の方向へ駆動可能ならしめ、また、各駆動ローラ１１に摩擦接触する、図７で述べたと同様の一対の伝達ローラ１２をもそのブラケット２４に軸受け支持することにより行う。そして、ドラム２の取付けは、支柱２３ａおよび付加支柱２３ｃのそれぞれの上端部から前方側へ水平に突設したそれぞれのアーム２３ｄと、ブラット２４との間にドラム２の軸受け５に貫通する各一対のガイドロッド６を設け、各軸受け５、ひいては、ドラム２を、ガイドロッド上に配設した圧縮ばね２６によって図の下方側へ付勢することにより行う。
【００３８】
このような構成によれば、駆動ローラ１１が、最先に引出される、丈の最も低い段部のフレーム２３の先端側の転動輪としても機能するとともに、直接的にはそのフレーム２３の、そして間接的には全てのフレーム２３の進退駆動輪としても機能することになる。すなわち、図９、１０に示すような全てのフレーム２３の引出し姿勢にあって、観覧席が敷板３上でステップ状に展開され、併せて、各段部上で全ての椅子２７が起立された状態にある場合に、椅子２７を倒伏作動させることに加えて、駆動ローラ１１を、図７（ａ）に示すように右回りに回転運動させると、ドラム２は先に述べたようにして回転および後退変位のそれぞれを行い、ドラム２のこの後退変位に基づいて、最先のフレーム２３もまた後退変位されることになる。そしてそのフレーム２３が後退方向の次のフレーム２３に当接すると、最先のフレーム２３の他にこのフレーム２３もまた後退変位され以下同様にして全てのフレーム２３が順次に後退変位を開始され、ついには、ドラム２が敷板３の全てをそこに巻取ったそれの後退限位置に達すると、全てのフレーム２３は、図１２に示すように、一方のフレーム２３が他方のフレーム２３内へ完全に入り込んだ収納状態となり、養生パネル装置もまた移動観覧席２１とともにコンパクトに収納されることになる。
なお図中２８は、移動観覧席２１の収納位置に配設したハウジングを、そして２９は、最先のフレーム２３の前方に直立させて設けた前板をそれぞれ示す。
【００３９】
この一方で、移動観覧席２１の引出し展開は、図１２に示すようなそれの収納状態の下で、駆動ローラ１１を、図７（ｂ）に示すように左回りに回転運動させることによって行うことができ、この場合、最先のフレーム２３に続く後方側フレーム２３の順次の引出しは、たとえば図１１に示すように、後方側フレーム２３の水平ビーム２３ｂの先端に設けた掛合片３０を前方側フレーム２３の進出量が所定量に達したときに、それの支柱２３ａに掛合させることにて行うことができる。
【００４０】
かくして、この組合せ構造体によれば、敷板３をもって移動観覧席２１および観客のそれぞれの重量を充分に分散させることで、床面等を効果的に保護できることはもちろん、駆動ローラ１１の作動をもって、ドラム２の回転および進退変位に基づく敷板３の敷設および巻取りと、移動観覧席２１の展開および収納とを、極めて効率的にかつ正確に行うことができる。
【００４１】
【発明の効果】
かくして、この発明の養生パネル装置によれば、敷板の敷設および巻取りを簡易迅速にかつ正確に行うことができ、床面等の損傷のおそれをより効果的に除去することができる。
また、この発明の組合せ構造体によれば、従来は設置が不可能であった床面上等に観覧席を設置すること可能となる他、移動観覧席の展開および収納をもまた、簡易迅速に行うことができる。
【図面の簡単な説明】
【図１】  養生パネル装置の一の実施形態を示す斜視図である。
【図２】  敷板の連結構造を例示する分解斜視図である。
【図３】  剛性板材のヒンジ連結態様を示す図である。
【図４】  剛性板材の他のヒンジ連結態様を示す図である。
【図５】  剛性板材のさらに他のヒンジ連結態様を示す図である。
【図６】  装置フレームの姿勢の変更状態を示す斜視図である。
【図７】  ドラムの駆動手段を示す略線側面図である。
【図８】  養生パネル装置を敷板の巻取り状態で示す斜視図である。
【図９】  養生パネル装置と移動観覧席との組合せ構造体の実施形態を、観覧席の展開姿勢で示す部分断面側面図である。
【図１０】  図８の略線平面図である。
【図１１】  上記組合せ構造体の要部拡大斜視図である。
【図１２】  上記組合せ構造体を、養生パネル装置および観覧席の収納態様を示す部分断面側面図である。
【符号の説明】
１  装置フレーム
１ａ  方形枠体
１ｂ  横棧部材
２  ドラム
３  敷板
３ａ，３ａ１，３ａ２  剛性板材
３ｂ，１０ａ  仮止めピン
３ｂ１  ナット
３ｂ２  アンカー
３ｂ３  ねじ
３ｃ  フランジ
３ｄ  凹条
３ｅ  凸条
３ｆ  凹条部材
３ｇ  凸条部材
３ｈ  可撓性ベルト
４  ピン
５  軸受け
６  ガイドロット
７  引張りばね
８  外設転動輪
９  把持ロッド
１０ｂ  掛合舌片
１１  駆動ローラ
１２  伝達ローラ
１３  テンションローラ
２１  移動観覧席
２２  転動輪
２３  フレーム
２３ａ  支柱
２３ｂ  水平ビーム
２３ｃ  付加支柱
２３ｄ  アーム
２４  ブラケット
２５  モータ
２６  圧縮ばね
２７  椅子
２８  ハウジング
２９  前板
３０  掛合片
【図１】
0003774029.tif 000002
【図２】
0003774029.tif 000003
【図３】
0003774029.tif 000004
【図４】
0003774029.tif 000005
【図５】
0003774029.tif 000006
【図６】
0003774029.tif 000007
【図７】
0003774029.tif 000008
【図８】
0003774029.tif 000009
【図９】
0003774029.tif 000010
【図１０】
0003774029.tif 000011
【図１１】
0003774029.tif 000012
【図１２】
0003774029.tif 000013